(57)【要約】  出力回路(12)は、共通ノード対(NCa,NCb)に供給された電流信号対を電圧信号対(VOa,VOb)に変換する。入力バッファ回路(11,11,…)の各々において、定電流発生部(101)は、出力モードにおいて中間ノード対(NMa,NMb)から基準ノード(VDD1)に至る一対の電流経路に一対の定電流を発生させ、遮断モードにおいて一対の定電流の発生を停止する。電圧電流変換部(102)は、出力モードにおいて中間ノード対(NMa,NMb)から基準ノード(GND)に至る一対の電流経路に入力信号対(Sa,Sb)に対応する一対の入力電流を発生させることで中間ノード対(NMa,NMb)から共通ノード対(NCa,NCb)に至る一対の電流経路に電流信号対(Ia,Ib)を発生させ、遮断モードにおいて一対の入力電流の発生を停止する。
2010041352.tif 000002
【特許請求の範囲】
【請求項１】
複数の入力信号対のうちいずれか１対を選択的に受信する回路であって、
前記複数の入力信号対がそれぞれ供給され、自己に供給された入力信号対に対応する電流信号対を共通ノード対に供給する出力モードと、前記電流信号対の供給を停止する遮断モードとを切換可能な複数の入力バッファ回路と、
前記共通ノード対に供給された電流信号対を電圧信号対に変換する出力回路とを備え、
前記複数の入力バッファ回路の各々は、
前記出力モードにおいて前記共通ノード対に繋がる中間ノード対から第１の基準ノードに至る一対の電流経路に一対の定電流を発生させ、前記遮断モードにおいて前記一対の定電流の発生を停止する第１の定電流発生部と、
前記出力モードにおいて前記中間ノード対から第２の基準ノードに至る一対の電流経路に当該入力バッファ回路に供給された入力信号対に対応する一対の入力電流を発生させることで前記中間ノード対から前記共通ノード対に至る一対の電流経路に前記電流信号対を発生させ、前記遮断モードにおいて前記一対の入力電流の発生を停止する電圧電流変換部とを備える
ことを特徴とする受信回路。
【請求項２】
請求項１において、
前記複数の入力バッファ回路の各々は、
前記共通ノード対から当該入力バッファ回路の中間ノード対に至る一対の電流経路に形成され、第１のバイアス電圧がゲート対に供給される入力側トランジスタ対をさらに含む
ことを特徴とする受信回路。
【請求項３】
請求項２において、
前記複数の入力バッファ回路の各々は、
前記出力モードにおいて前記入力側トランジスタ対のゲート対に前記第１のバイアス電圧を供給し、前記遮断モードにおいて前記第１のバイアス電圧の供給を停止する第１の電圧生成部をさらに含む
ことを特徴とする受信回路。
【請求項４】
請求項３において、
前記出力回路は、
前記共通ノード対から前記第２の基準ノードに至る一対の電流経路に一対の定電流を発生させる第２の定電流発生部と、
前記電圧信号対を出力するための出力ノード対から前記共通ノード対に至る一対の電流経路に形成され、第２のバイアス電圧がゲート対に供給される出力側トランジスタ対と、
前記出力ノード対から第３の基準ノードに至る一対の電流経路に形成された負荷抵抗対とを含む
ことを特徴とする受信回路。
【請求項５】
請求項４において、
前記第３の基準ノードに供給される電圧は、前記第１の基準ノードに供給される電圧よりも低く、前記第２の基準ノードに供給される電圧よりも高い
ことを特徴とする受信回路。
【請求項６】
請求項４において、
前記第２の定電流発生部によって発生される定電流は、前記第１の定電流発生部によって発生される定電流よりも大きい
ことを特徴とする受信回路。
【請求項７】
請求項４において、
前記出力回路は、前記出力ノード対から前記第３の基準ノードに至る一対の電流経路において前記負荷抵抗対と並列に形成された電流源対をさらに含む
ことを特徴とする受信回路。
【請求項８】
請求項４において、
リセット信号に応答して前記複数の入力バッファ回路のそれぞれを前記遮断モードに強制的に設定するリセット回路をさらに備え、
前記出力回路は、前記リセット信号が非活性化状態である場合には前記出力側トランジスタ対のゲート対に前記第２のバイアス電圧を供給し、前記リセット信号が活性化状態である場合には前記第２のバイアス電圧の供給を停止する第２の電圧生成部をさらに備え、
前記第２の定電流発生部は、前記リセット信号が非活性化状態である場合には前記共通ノード対から前記第２の基準ノードに至る一対の電流経路に前記一対の定電流を発生させ、前記リセット信号が活性化状態である場合には前記一対の定電流の発生を停止する
ことを特徴とする受信回路。
【請求項９】
請求項２において、
前記複数の入力バッファ回路の各々は、リセット信号が活性化状態である場合には当該入力バッファ回路の前記入力側トランジスタ対のそれぞれのドレイン電圧を固定し、前記リセット信号が非活性化状態である場合には前記ドレイン電圧の固定を解除する入力側電圧固定部をさらに含む
ことを特徴とする受信回路。
【請求項１０】
請求項１において、
前記出力回路は、リセット信号が活性化状態である場合には前記共通ノード対のそれぞれの電圧を固定し、前記リセット信号が非活性化状態である場合には前記共通ノード対に対する電圧の固定を解除する出力側電圧固定部をさらに含む
ことを特徴とする受信回路。
【請求項１１】
請求項１において、
前記出力回路は、前記共通ノード対から前記第２の基準ノードに至る一対の電流経路に形成された負荷抵抗対を含む
ことを特徴とする受信回路。
【請求項１２】
請求項１において、
前記電圧電流変換部は、
前記中間ノード対から前記第２の基準ノードに至る一対の電流経路に形成され、前記入力信号対がゲート対に供給される差動トランジスタ対と、
前記差動トランジスタ対のソース対の間に並列に形成された抵抗素子および容量素子とを含む
ことを特徴とする受信回路。
【請求項１３】
請求項１２において、
前記抵抗素子の抵抗値および前記容量素子の容量値のうち少なくとも１つは可変である
ことを特徴とする受信回路。
【請求項１４】
請求項１に記載の受信回路と、
前記受信回路からの電圧信号対を処理する信号処理装置とを備える
ことを特徴とする受信システム。
【請求項１５】
複数の入力信号のうちいずれか１つを選択的に受信する回路であって、
前記複数の入力信号がそれぞれ供給され、自己に供給された入力信号に対応する電流信号を共通ノードに供給する出力モードと、前記電流信号の供給を停止する遮断モードとを切換可能な複数の入力バッファ回路と、
前記共通ノードに供給された電流信号を電圧信号に変換する出力回路とを備え、
前記複数の入力バッファ回路の各々は、
前記出力モードにおいて前記共通ノードに繋がる中間ノードから第１の基準ノードに至る電流経路に定電流を発生させ、前記遮断モードにおいて前記定電流の発生を停止する第１の定電流発生部と、
前記出力モードにおいて前記中間ノードから第２の基準ノードに至る電流経路に当該入力バッファ回路に供給された入力信号に対応する入力電流を発生させることで前記中間ノードから前記共通ノードに至る電流経路に前記電流信号を発生させ、前記遮断モードにおいて前記入力電流の発生を停止する電圧電流変換部とを備える
ことを特徴とする受信回路。
【請求項１６】
請求項１５に記載の受信回路と、
前記受信回路からの電圧信号を処理する信号処理装置とを備える
ことを特徴とする受信システム。
【発明の詳細な説明】
【技術分野】
【０００１】
この発明は複数の入力信号のうちいずれか１つを選択的に受信する受信回路に関する。
【背景技術】
【０００２】
近年、映像の高画質化や音声の高音質化に伴って機器間を伝送する情報量が増加しており、それに伴って機器間の信号伝送速度の向上が望まれている。例えば、ＨＤＭＩ（High Definition Multimedia Interface）に準拠した表示装置において画素数が“１９２０×１０８０”であるパネルに動画像を表示する場合、インターレース方式では約７５０Ｍｂｐｓの速度で信号の送受信を行う必要があり、プログレッシブ方式では倍の約１．５Ｇｂｐｓの速度が必要となる。このような数Ｇｂｐｓを超える超高速の送受信を実現するためには、受信装置の受信可能帯域（受信装置が入力信号を正常に受信できる周波数帯域）を数ＧＨｚ以上に設定するとともに、受信装置の内部における信号減衰を極力小さく抑える必要がある。【０００３】
また、近年では、図１２のように、複数の送信装置を１つの受信装置に接続して多対一通信を行うことが必要とされてきている。例えば、表示機器の３つの入力ポートにＤＶＤレコーダ，デジタルビデオカメラ，およびプロジェクターを個別に接続し、これらの中からいずれか１つを選択して映像を表示することが求められている。図１２では、送信装置８，８，…の各々に含まれる送信ＬＳＩ８１は、伝送路を介して受信装置９の受信ＬＳＩ９０に接続される。受信装置９内において伝送路から受信ＬＳＩ９０に至る信号経路には、終端抵抗Ｒ９０が設けられている。受信ＬＳＩ９０は、選択信号ＳＥＬに応答して送信装置８，８，…のうちいずれか１つからの信号を選択的に受信する。【０００４】
図１３は、このような多対一通信に対応した従来の受信回路の構成を示す。この受信回路は、複数の送信装置から送信された複数の差動信号（入力信号Ｓａ，Ｓｂ）にそれぞれ対応する入力バッファ回路９１，９１，…と、セレクタ９２とを含む。【０００５】
入力バッファ回路９１，９１，…のうち選択信号ＳＥＬが供給された入力バッファ回路では、信号選択部９０１が電圧電流変換部９０２を駆動させ、電圧電流変換部９０２が差動信号（入力信号Ｓａ，Ｓｂ）を一対の電流に変換し、負荷抵抗９０３が電圧電流変換部９０２によって得られた一対の電流を電圧信号Ｖ９１ａ，Ｖ９１ｂに変換する。【０００６】
セレクタ９２は、入力バッファ回路９１，９１，…にそれぞれ対応する信号入力部９０４，９０４，…と、負荷抵抗９０５と、定電流源９１３とを含む。信号入力部９０４，９０４，…のうち選択信号ＳＥＬが供給された信号入力部では、カスコードトランジスタ対（９１１ａ，９１１ｂ）がオン状態になり、入力トランジスタ対（９１２ａ，９１２ｂ）が入力バッファ回路９１からの電圧信号Ｖ９１ａ，Ｖ９１ｂを一対の電流に変換する。この入力トランジスタ対（９１２ａ，９１２ｂ）によって得られた一対の電流は、負荷抵抗９０５によって電圧信号ＶＯａ，ＶＯｂに変換される。このように、入力バッファ回路９１，９１，…のうちいずれか１つとその入力バッファ回路９１に対応する信号入力部９０４とに選択信号ＳＥＬを供給することにより、複数の差動信号（入力信号Ｓａ，Ｓｂ）のうちいずれか１つを選択的に受信できる。なお、セレクタ９２の構成は、特許文献１や特許文献２にも開示されている。【０００７】
図１４は、図１３に示した受信回路を備える受信ＬＳＩの構成を示す。この受信ＬＳＩでは、入力ポート０，入力ポート１，入力ポート２の各々は、４つのデータチャネルで構成されている。各入力ポートにおいて、８個のＩ／Ｏセルの配置に応じて４個の入力バッファ回路９１，９１ｘ，９１ｙ，９１ｚが配置される。また、入力ポート０，入力ポート１，入力ポート２にそれぞれ形成された入力バッファ回路９１，９１，９１は、個別の配線対を介してセレクタ９２に接続される。なお、入力バッファ回路９１ｘとセレクタ９２ｘ，入力バッファ回路９１ｙとセレクタ９２ｙ，入力バッファ回路９１ｚとセレクタ９２ｚのそれぞれの接続関係は、入力バッファ回路９１とセレクタ９２の接続関係と同様であるので、ここでは図示を省略する。
【特許文献１】特開平１０−２８５００６号公報
【特許文献２】特開２００１−１６８６９２号公報
【発明の開示】
【発明が解決しようとする課題】
【０００８】
しかしながら、従来の受信回路では、入力バッファ回路とセレクタとを結ぶ配線の長さが入力バッファ回路ごとに異なる。入力バッファ回路とセレクタとを結ぶ配線が長くなる程、入力バッファ回路の出力端に付加される負荷（寄生配線容量や寄生配線抵抗）が増加して受信可能帯域が狭くなる。そのため、入力バッファ回路間において周波数特性のばらつきが生じてしまい、安定した受信を実現できない。例えば、ある入力信号については正常に受信できるが、受信対象を別の入力信号に切り換えると正常に受信できなくなるといった現象が生じてしまう。【０００９】
そこで、この発明は、入力バッファ回路間における周波数特性のばらつきを低減できる受信回路を提供することを目的とする。
【課題を解決するための手段】
【００１０】
この発明の１つの局面に従うと、受信回路は、複数の入力信号対のうちいずれか１対を選択的に受信する回路であって、上記複数の入力信号対がそれぞれ供給され、自己に供給された入力信号対に対応する電流信号対を共通ノード対に供給する出力モードと上記電流信号対の供給を停止する遮断モードとを切換可能な複数の入力バッファ回路と、上記共通ノード対に供給された電流信号対を電圧信号対に変換する出力回路とを備え、上記複数の入力バッファ回路の各々は、上記出力モードにおいて上記共通ノード対に繋がる中間ノード対から第１の基準ノードに至る一対の電流経路に一対の定電流を発生させ、上記遮断モードにおいて上記一対の定電流の発生を停止する第１の定電流発生部と、上記出力モードにおいて上記中間ノード対から第２の基準ノードに至る一対の電流経路にその入力バッファ回路に供給された入力信号対に対応する一対の入力電流を発生させることで上記中間ノード対から上記共通ノード対に至る一対の電流経路に上記電流信号対を発生させ、上記遮断モードにおいて上記一対の入力電流の発生を停止する電圧電流変換部とを備える。上記受信回路では、複数の入力バッファ回路の各々の中間ノード対は、出力回路の共通ノード対に共通に接続される。そのため、入力バッファ回路のそれぞれの配置に拘わらず、入力バッファ回路間において中間ノード対に付加される負荷を等しくすることができるので、入力バッファ回路間における周波数特性のばらつきを低減できる。【００１１】
好ましくは、上記複数の入力バッファ回路の各々は、上記共通ノード対からその入力バッファ回路の中間ノード対に至る一対の電流経路に形成され、第１のバイアス電圧がゲート対に供給される入力側トランジスタ対をさらに含む。このように構成することにより、中間ノード対における電圧変動を抑制できるので、第１の定電流発生部は、定電流を正確に供給できる。【００１２】
好ましくは、上記複数の入力バッファ回路の各々は、上記出力モードにおいて上記入力側トランジスタ対のゲート対に上記第１のバイアス電圧を供給し、上記遮断モードにおいて上記第１のバイアス電圧の供給を停止する第１の電圧生成部をさらに含む。このように構成することにより、遮断モードである入力バッファ回路から共通ノード対にノイズが伝播することを防止できる。【００１３】
好ましくは、上記出力回路は、上記共通ノード対から上記第２の基準ノードに至る一対の電流経路に一対の定電流を発生させる第２の定電流発生部と、上記電圧信号対を出力するための出力ノード対から上記共通ノード対に至る一対の電流経路に形成され、第２のバイアス電圧がゲート対に供給される出力側トランジスタ対と、上記出力ノード対から第３の基準ノードに至る一対の電流経路に形成された負荷抵抗対とを含む。このように構成することにより、従来よりも入力インピーダンスを小さくできるため、周波数特性を向上させることができる。【００１４】
好ましくは、上記第３の基準ノードに供給される電圧は、上記第１の基準ノードに供給される電圧よりも低く、上記第２の基準ノードに供給される電圧よりも高い。このように構成することにより、出力回路の後段に接続される装置を低耐圧化することができ、後段の装置の周波数特性を向上させることができる。【００１５】
この発明のもう１つの局面に従うと、受信回路は、複数の入力信号のうちいずれか１つを選択的に受信する回路であって、上記複数の入力信号がそれぞれ供給され、自己に供給された入力信号に対応する電流信号を共通ノードに供給する出力モードと上記電流信号の供給を停止する遮断モードとを切換可能な複数の入力バッファ回路と、上記共通ノードに供給された電流信号を電圧信号に変換する出力回路とを備え、上記複数の入力バッファ回路の各々は、上記出力モードにおいて上記共通ノードに繋がる中間ノードから第１の基準ノードに至る電流経路に定電流を発生させ、上記遮断モードにおいて上記定電流の発生を停止する第１の定電流発生部と、上記出力モードにおいて上記中間ノードから第２の基準ノードに至る電流経路にその入力バッファ回路に供給された入力信号に対応する入力電流を発生させることで上記中間ノードから上記共通ノードに至る電流経路に上記電流信号を発生させ、上記遮断モードにおいて上記入力電流の発生を停止する電圧電流変換部とを備える。上記受信回路では、複数の入力バッファ回路の各々の中間ノードは、出力回路の共通ノードに共通に接続されるので、入力バッファ回路間における周波数特性のばらつきを低減できる。
【発明の効果】
【００１６】
以上のように、入力バッファ回路間における周波数特性のばらつきを低減できる。
【図面の簡単な説明】
【００１７】
【図１】図１は、実施形態１による受信回路の構成例を示す図である。
【図２】図２は、図１に示した電圧生成部の構成例を示す図である。
【図３】図３は、図１に示した入力バッファ回路の変形例について説明するための図である。
【図４】図４は、図１に示した出力回路の変形例について説明するための図である。
【図５】図５は、実施形態２による受信回路の構成例を示す図である。
【図６】図６は、実施形態３における入力バッファ回路の構成例を示す図である。
【図７】図７は、実施形態３における出力回路の構成例を示す図である。
【図８】図８は、出力回路の変形例について説明するための図である。
【図９】図９は、入力バッファ回路の変形例について説明するための図である。
【図１０】図１０は、受信回路の変形例について説明するための図である。
【図１１】図１１は、図１に示した受信回路を備える受信ＬＳＩの構成例を示す図である。
【図１２】図１２は、多対一通信について説明するための図である。
【図１３】図１３は、多対一通信に対応した従来の受信回路の構成を示す図である。
【図１４】図１４は、図１３に示した受信回路を備える従来の受信ＬＳＩの構成を示す図である。
【符号の説明】
【００１８】
１１    入力バッファ回路
１２    出力回路
１０１    定電流発生部
１０２    電圧電流変換部
１０３ａ，１０３ｂ    入力側トランジスタ
１０４    電圧生成部
１０５    定電流発生部
１０６ａ，１０６ｂ    出力側トランジスタ
１０７ａ，１０７ｂ    負荷抵抗
２３    リセット回路
３０１    出力側電圧固定部
３０２    入力側電圧固定部
ＲＲＲ    抵抗素子
ＣＣＣ    容量素子
【発明を実施するための最良の形態】
【００１９】
以下、この発明の実施の形態を図面を参照して詳しく説明する。なお、図中同一または相当部分には同一の符号を付しその説明は繰り返さない。【００２０】
（実施形態１）
図１は、この発明の実施形態１による受信回路の構成例を示す。この受信回路は、複数の差動信号（一対の入力信号Ｓａ，Ｓｂ）のうちいずれか１つを選択的に受信するものであり、複数の差動信号がそれぞれ供給される複数の入力バッファ回路１１，１１，…と、出力回路１２とを備える。【００２１】
入力バッファ回路１１，１１，…の各々は、選択信号ＳＥＬによって出力モードと遮断モードとを切換可能であり、選択信号ＳＥＬが活性化状態である場合（選択信号ＳＥＬが供給される場合）には出力モードに設定され、選択信号ＳＥＬが非活性化状態である場合（選択信号ＳＥＬが供給されない場合）には遮断モードに設定される。入力バッファ回路１１，１１，…の各々は、出力モードでは自己に供給された入力信号Ｓａ，Ｓｂに対応する電流信号Ｉａ，Ｉｂを共通ノードＮＣａ，ＮＣｂに供給し、遮断モードでは電流信号Ｉａ，Ｉｂの供給を停止する。出力回路１２は、共通ノードＮＣａ，ＮＣｂに供給された電流信号Ｉａ，Ｉｂを電圧信号ＶＯａ，ＶＯｂに変換する。受信対象とする差動信号が供給される入力バッファ回路１１を出力モードに設定するとともに他の入力バッファ回路１１，１１，…を遮断モードに設定することにより、受信対象とする差動信号に対応する電圧信号対を出力できる。【００２２】
また、入力バッファ回路１１，１１，…の各々において、中間ノードＮＭａ，ＮＭｂは、入力側トランジスタ１０３ａ，１０３ｂを介して出力回路１２の共通ノードＮＣａ，ＮＣｂに共通に接続されている。これにより、入力バッファ回路１１，１１，…のそれぞれの配置に拘わらず、入力バッファ回路１１，１１，…の各々の出力端に付加される負荷（寄生配線容量や寄生配線抵抗など）を等しくすることができ、入力バッファ回路１１，１１，…の間における周波数特性のばらつきを低減でき、安定した受信を実現できる。【００２３】
〔入力バッファ回路〕
入力バッファ回路１１，１１，…の各々は、定電流発生部１０１と、電圧電流変換部１０２と、入力側トランジスタ１０３ａ，１０３ｂと、電圧生成部１０４とを含む。【００２４】
定電流発生部１０１は、定電流源ＣＳａ，ＣＳｂと、選択信号ＳＥＬに応答して定電流源ＣＳａ，ＣＳｂと電源ノード（電源電圧ＶＤＤ１が供給されるノード）との接続を切り換えるスイッチ素子ＳＷａ，ＳＷｂとを含む。選択信号ＳＥＬが活性化状態である場合、スイッチ素子ＳＷａ，ＳＷｂがオンになり、電源ノードから定電流源ＣＳａ，ＣＳｂを介して中間ノードＮＭａ，ＮＭｂに至る一対の電流経路に一対の定電流が発生する。一方、選択信号ＳＥＬが非活性化状態である場合、スイッチ素子ＳＷａ，ＳＷｂがオフになり、定電流源ＣＳａ，ＣＳｂが電源ノードから切り離されて定電流の供給が停止する。【００２５】
電圧電流変換部１０２は、入力信号Ｓａ，Ｓｂがゲートにそれぞれ供給される差動トランジスタＴａ，Ｔｂと、定電流源ＣＳｃと、選択信号ＳＥＬに応答して定電流源ＣＳｃと接地ノード（接地電圧ＧＮＤが供給されるノード）との接続を切り換えるスイッチ素子ＳＷｃとを含む。【００２６】
選択信号ＳＥＬが活性化状態である場合、スイッチ素子ＳＷｃがオンになる。これにより、差動トランジスタＴａ，Ｔｂによって入力信号Ｓａ，Ｓｂが一対の入力電流に変換され、中間ノードＮＭａ，ＮＭｂから差動トランジスタＴａ，Ｔｂ，定電流源ＣＳｃを介して接地ノードに至る一対の電流経路において差動トランジスタＴａ，Ｔｂによって得られた一対の入力電流が発生する。また、定電流発生部１０１によって中間ノードＮＭａ，ＮＭｂのそれぞれに定電流が供給されているので、中間ノードＮＭａ，ＮＭｂから共通ノードＮＣａ，ＮＣｂに至る一対の電流経路には、定電流対と入力電流対との差に応じた一対の電流が電流信号Ｉａ，Ｉｂとして発生する。一方、選択信号ＳＥＬが非活性化状態である場合、スイッチ素子ＳＷｃがオフになり、定電流源ＣＳｃが接地ノードから切り離され、その結果、入力信号Ｓａ，Ｓｂに対応する一対の入力電流が発生しなくなる。【００２７】
入力側トランジスタ１０３ａ，１０３ｂは、共通ノードＮＣａ，ＮＣｂから中間ノードＮＭａ，ＮＭｂに至る一対の電流経路に形成され、それぞれのゲートにはバイアス電圧ＶＢ１が供給される。入力側トランジスタ１０３ａ，１０３ｂのゲートにバイアス電圧ＶＢ１を供給することにより、中間ノードＮＭａ，ＮＭｂにおける電圧変動を抑制できるので、定電流源ＣＳａ，ＣＳｂの各々は、定電流を正確に供給できる。【００２８】
電圧生成部１０４は、選択信号ＳＥＬが活性化状態である場合にはバイアス電圧ＶＢ１を生成する。これにより、入力側トランジスタ１０３ａ，１０３ｂがオン状態になり、電流信号Ｉａ，Ｉｂが入力側トランジスタ１０３ａ，１０３ｂを介して共通ノードＮＣａ，ＮＣｂに供給される。また、電圧生成部１０４は、選択信号ＳＥＬが非活性化状態である場合にはバイアス電圧ＶＢ１の供給を停止する。これにより、入力側トランジスタ１０３ａ，１０３ｂがオフ状態になるので、遮断モードである入力バッファ回路１１から共通ノードＮＣａ，ＮＣｂにノイズが伝播することを防止できる。例えば、図２のように、電圧生成部１０４は、カレントミラー回路を構成するトランジスタＴ１，Ｔ２と、ｐＭＯＳトランジスタＴ３と、選択信号ＳＥＬに応答してオン／オフするスイッチ素子ＳＷ１，ＳＷ２，ＳＷ３とを含む。【００２９】
〔出力回路〕
出力回路１２は、定電流発生部１０５と、出力側トランジスタ１０６ａ，１０６ｂと、負荷抵抗１０７ａ，１０７ｂとを含む。【００３０】
定電流発生部１０５は、共通ノードＮＣａ，ＮＣｂから接地ノードに至る一対の電流経路に一対の定電流を発生させる。これにより、電源ノード（電源電圧ＶＤＤ２が供給されるノード）から出力ノードＮＯａ，ＮＯｂを介して共通ノードＮＣａ，ＮＣｂに至る一対の電流経路に電流信号Ｉａ，Ｉｂが流れる。例えば、定電流発生部１０５は、定電流源ＣＳｄ，ＣＳｅを含む。【００３１】
出力側トランジスタ１０６ａ，１０６ｂは、出力ノードＮＯａ，ＮＯｂから共通ノードＮＣａ，ＮＣｂに至る一対の電流経路に形成され、出力側トランジスタ１０６ａ，１０６ｂのゲートには、バイアス電圧ＶＢ２が供給される。このように、共通ノードＮＣａ，ＮＣｂに出力側トランジスタ１０６ａ，１０６ｂが接続されているので、出力回路１２の入力インピーダンスは、出力側トランジスタ１０６ａ，１０６ｂの相互コンダクタンスの逆数とほぼ等しくなる。これにより、従来よりも入力インピーダンスを小さくできるため、受信回路の周波数特性を向上させることができる。【００３２】
負荷抵抗１０７ａ，１０７ｂは、電源ノードから出力ノードＮＯａ，ＮＯｂに至る一対の電流経路に形成される。この負荷抵抗１０７ａ，１０７ｂによって電流信号Ｉａ，Ｉｂは電圧信号ＶＯａ，ＶＯｂに変換される。【００３３】
〔電源電圧の大きさ〕
なお、電源電圧ＶＤＤ２は、電源電圧ＶＤＤ１よりも低くても良い。このように構成することにより、電圧信号ＶＯａ，ＶＯｂのコモンモード電位を入力信号Ｓａ，Ｓｂのコモンモード電位よりも低くできるので、出力回路１２の後段に接続される装置の耐圧制限を緩和できる。すなわち、電圧信号ＶＯａ，ＶＯｂが入力信号Ｓａ，Ｓｂと同一のコモンモード電位を有する場合と比較して、後段の装置を構成するトランジスタの耐圧を低くできる。例えば、後段の装置をｐＭＯＳトランジスタよりも耐圧の低いｎＭＯＳトランジスタで構成できる。また、一般的に、トランジスタの耐圧を低くする程、トランジスタの利得帯域幅積（ｆｔ）を高くできる。そのため、後段の装置を低耐圧化することにより、後段の装置の周波数特性を向上させることができる。【００３４】
〔定電流の大きさ〕
また、定電流発生部１０５によって供給される定電流を定電流発生部１０１によって供給される定電流よりも大きくしても良い。入力バッファ回路１１において、定電流発生部１０１から一対の定電流が供給されている場合に電圧電流変換部１０２が遮断モードになると、定電流発生部１０１からの一対の定電流がすべて出力回路１２の共通ノードＮＣａ，ＮＣｂに流れ込んでしまう。例えば、入力信号Ｓａ，Ｓｂのコモンモード電位が低下して差動トランジスタＴａ，Ｔｂの両方がオフ状態になると、このような現象が生じる。ここで、定電流発生部１０５の定電流が定電流発生部１０１の定電流よりも小さい場合、共通ノードＮＣａ，ＮＣｂの電圧が上昇して出力側トランジスタ１０６ａ，１０６ｂが破壊されてしまうおそれがある。したがって、定電流発生部１０５の定電流を定電流発生部１０１の定電流よりも大きくすることにより、共通ノードＮＣａ，ＮＣｂの電圧上昇を防止できる。【００３５】
（入力バッファ回路の変形例）
図３のように、入力バッファ回路１１は、図１に示した電圧電流変換部１０２に代えて、ハイパスフィルタ特性を有する電圧電流変換部１０２ａを含んでいても良い。電圧電流変換部１０２ａは、図１に示した電圧電流変換部１０２の構成に加えて、抵抗素子ＲＲＲおよび容量素子ＣＣＣを含む。また、電圧電流変換部１０２ａは、定電流源ＣＳｃ，スイッチ素子ＳＷｃに代えて、定電流源ＣＳｃ１，ＣＳｃ２，スイッチ素子ＳＷｃ１，ＳＷｃ２を含む。このように構成することにより、高周波信号の減衰を抑制でき、受信回路の受信可能帯域を拡張できる。なお、抵抗素子ＲＲＲの抵抗値や容量素子ＣＣＣの容量値は可変であっても良い。このように構成することにより、入力バッファ回路１１のＤＣゲイン値やカットオフ周波数を調整できる。また、入力信号Ｓａ，Ｓｂの周波数や振幅に応じて設定することにより、受信波形を最良な状態に設定できる。【００３６】
（出力回路の変形例）
また、図４のように、出力回路１２は、図１に示した構成に加えて、電流源ＣＳ１，ＣＳ２を含んでいても良い。電流源ＣＳ１は、電源ノードと出力ノードＮＯａとの間で負荷抵抗１０７ａと並列に接続され、電流源ＣＳ２は、電源ノードと出力ノードＮＯｂとの間で負荷抵抗１０７ｂと並列に接続される。このように構成することにより、出力ノードＮＯａ，ＮＯｂから共通ノードＮＣａ，ＮＣｂに至る一対の電流経路の電流量を増加させることができ、出力回路１２の入力インピーダンスをさらに低減できる。【００３７】
（実施形態２）
図５は、この発明の実施形態２による受信回路の構成例を示す。この受信回路は、図１に示した出力回路１２に代えて出力回路２２およびリセット回路２３を備える。【００３８】
〔出力回路〕
出力回路２２は、図１に示した定電流発生部１０５に代えて定電流発生部２０５を含むとともに電圧生成部２０２をさらに含む。電圧生成部２０２は、出力回路２２をリセット状態にするためのリセット信号ＲＥＳＥＴに応答してバイアス電圧ＶＢ２の供給／非供給を切り換える。定電流発生部２０５は、定電流源ＣＳｄ，ＣＳｅと、リセット信号ＲＥＳＥＴに応答して定電流源ＣＳｄ，ＣＳｅと接地ノードとの接続を切り換えるスイッチ素子ＳＷｄ，ＳＷｅとを含む。【００３９】
リセット信号ＲＥＳＥＴが非活性化状態である場合では、電圧生成部２０２は、出力側トランジスタ１０６ａ，１０６ｂのゲートにバイアス電圧ＶＢ２を供給する。また、スイッチ素子ＳＷｄ，ＳＷｅがオンになり、共通ノードＮＣａ，ＮＣｂから接地ノードに至る一対の電流経路に一対の定電流が発生する。これにより、入力バッファ回路１１からの電流信号Ｉａ，Ｉｂを電圧信号ＶＯａ，ＶＯｂに変換できる。一方、リセット信号ＲＥＳＥＴが活性化状態である場合では、電圧生成部２０２は、バイアス電圧ＶＢ２の供給を停止する。また、スイッチ素子ＳＷｄ，ＳＷｅがオフになり、定電流源ＣＳｄ，ＣＳｅが接地ノードから切り離されて定電流が発生しなくなる。これにより、出力回路２２がリセット状態になる。【００４０】
〔リセット回路〕
リセット回路２３は、リセット信号ＲＥＳＥＴに応答して選択信号ＳＥＬの通過／遮断を切り換えることにより、入力バッファ回路１１，１１，…の動作モードを制御する。リセット回路２３は、入力バッファ回路１１，１１，…にそれぞれ対応する論理積回路２０１，２０１，…を含む。論理積回路２０１，２０１，…の各々は、リセット信号ＲＥＳＥＴに応答して選択信号ＳＥＬの通過／遮断を切り換える。【００４１】
リセット信号ＲＥＳＥＴが非活性化状態である場合（ここでは、リセット信号ＲＥＳＥＴがハイレベルである場合）には、リセット回路２３は、選択信号ＳＥＬを入力バッファ回路１１，１１，…に通過させる。これにより、入力バッファ回路１１，１１，…の各々の動作モードは、選択信号ＳＥＬによって制御される。一方、リセット信号ＲＥＳＥＴが活性化状態である場合（ここでは、リセット信号ＲＥＳＥＴがローレベルである場合）には、リセット回路２３は、選択信号ＳＥＬを遮断する。これにより、入力バッファ回路１１，１１，…の各々において選択信号ＳＥＬが非活性化状態になったことになり、入力バッファ回路１１，１１，…の各々は遮断モードに強制的に設定される。【００４２】
以上のように、出力回路２２がリセット状態である場合に選択信号ＳＥＬの状態に拘わらず入力バッファ回路１１，１１，…の全てを遮断モードに強制的に設定することにより、入力バッファ回路１１，１１，…から不要な電流信号Ｉａ，Ｉｂが供給されることを防止できるので、出力回路の入力端（共通ノードＮＣａ，ＮＣｂ）における電圧変動を抑制できる。【００４３】
（実施形態３）
次に、図５〜図７を参照して、この発明の実施形態３による受信回路について説明する。この受信回路は、図５に示した入力バッファ回路１１，１１，…および出力回路２２に代えて、入力バッファ回路３１，３１，…（図６参照）と、出力回路３２（図７参照）とを備える。【００４４】
〔入力バッファ回路〕
図６に示した入力バッファ回路３１は、図１に示した構成に加え、入力側電圧固定部３０１を含む。入力側電圧固定部３０１は、リセット信号ＲＥＳＥＴに応答して入力側トランジスタ１０３ａ，１０３ｂのドレインと接地ノードとの接続を切り換えるプルダウントランジスタ３１１ａ，３１１ｂを含む。【００４５】
リセット信号ＲＥＳＥＴが活性化状態である場合（ここでは、リセット信号ＲＥＳＥＴがローレベルである場合）には、プルダウントランジスタ３１１ａ，３１１ｂがオン状態になり、入力側トランジスタ１０３ａ，１０３ｂのドレイン電圧が固定される。これにより、入力側トランジスタ１０３ａ，１０３ｂのドレインに繋がる出力回路３２の入力端（共通ノードＮＣａ，ＮＣｂ）における電圧変動を抑制できる。一方、リセット信号ＲＥＳＥＴが非活性化状態である場合（ここでは、リセット信号ＲＥＳＥＴがハイレベルである場合）には、プルダウントランジスタ３１１ａ，３１１ｂがオフ状態になり、入力側トランジスタ１０３ａ，１０３ｂのドレイン電圧の固定が解除される。【００４６】
〔出力回路〕
図７に示した出力回路３２は、図５に示した構成に加えて、出力側電圧固定部３０２を備える。出力側電圧固定部３０２は、リセット信号ＲＥＳＥＴに応答して共通ノードＮＣａ，ＮＣｂと接地ノードとの接続を切り換えるプルダウントランジスタ３１２ａ，３１２ｂを含む。【００４７】
リセット信号ＲＥＳＥＴが活性化状態である場合、プルダウントランジスタ３１２ａ，３１２ｂがオンになり、共通ノードＮＣａ，ＮＣｂの電圧が固定される。これにより、共通ノードＮＣａ，ＮＣｂにおける電圧変動を抑制できる。一方、リセット信号ＲＥＳＥＴが非活性化状態である場合には、プルダウントランジスタ３１２ａ，３１２ｂがオフ状態になり、電圧の固定が解除される。【００４８】
以上のように、出力回路３２がリセット状態である場合に共通ノードＮＣａ，ＮＣｂの電圧を確定させることができるので、共通ノードＮＣａ，ＮＣｂにおける電圧変動をさらに抑制できる。なお、入力側電圧固定部３０１および出力側電圧固定部３０２は、図１に示した受信回路にも適用可能である。すなわち、入力側電圧固定部３０１および出力側電圧固定部３０２の少なくとも一方を設けることにより、出力回路１２をリセット状態に設定できる。【００４９】
（出力回路の構成）
以上の各実施形態において、出力回路を図８のように構成しても良い。図８に示した出力回路１２ｂは、共通ノードＮＣａ，ＮＣｂから接地ノードに至る一対の電流経路に形成された負荷抵抗１０７ａ，１０７ｂを含む。このように構成した場合も、入力バッファ回路の各々の中間ノードＮＭａ，ＮＭｂを出力回路１２ｂの共通ノードＮＣａ，ＮＣｂに共通に接続させることができるので、入力バッファ回路間における周波数特性のばらつきを低減できる。【００５０】
（入力バッファ回路の構成）
なお、入力バッファ回路の構成は、多種多様であり、図１，図３，図６に示した構成に限定されない。例えば、図９のように、入力バッファ回路１１は、差動トランジスタＴａ，Ｔｂのそれぞれのドレインが定電流源ＣＳｃに共通に接続されている電圧電流変換部１０２に代えて、差動トランジスタＴａ，Ｔｂのドレインが接地ノードに直接接続されている電圧電流変換部１０２ｂを含んでいても良い。【００５１】
また、図９からわかるように、各実施形態による受信回路は、差動信号だけでなく単一の入力信号を受信するものであってもよい。例えば、入力バッファ回路１１，１１，…のそれぞれに差動信号ではなく単一の入力信号Ｓａが供給され、入力バッファ回路１１，１１，…の各々が入力信号Ｓａに対応する電流信号Ｉａを供給し、出力回路１２が共通ノードＮＣａに供給された電流信号Ｉａを電圧信号ＶＯａに変換するように構成しても良い。【００５２】
（受信回路の変形例）
なお、図１０のように、各実施形態における受信回路を、接地電圧ＧＮＤを基準とする差動信号Ｓａ，Ｓｂを受信できるように構成しても良い。図１０に示した受信回路は、入力バッファ回路１１ｃ，１１ｃ，…と、出力回路１２ｃとを備える。入力バッファ回路１１ｃ，１１ｃ，…の各々は、定電流発生部１０１ｃと、電圧電流変換部１０２ｃとを含む。定電流発生部１０１ｃは、出力モードにおいて中間ノードＮＭａ，ＮＭｂから接地ノードに至る一対の電流経路に一対の定電流を発生させ、遮断モードにおいて一対の定電流の発生を停止する。電圧電流変換部１０２ｃは、出力モードにおいて中間ノードＮＭａ，ＮＭｂから電源ノード（電源電圧ＶＤＤ１が供給されるノード）に至る一対の電流経路に入力信号Ｓａ，Ｓｂに対応する一対の入力電流を発生させることで一対の電流信号Ｉａ，Ｉｂを発生させ、遮断モードにおいて一対の入力電流の発生を停止する。出力回路１２ｃは、共通ノードＮＣａ，ＮＣｂに供給された電流信号Ｉａ，Ｉｂを電圧信号ＶＯａ，ＶＯｂに変換する。このように構成した場合も、入力バッファ回路１１ｃ，１１ｃ，…の各々の中間ノードＮＭａ，ＮＭｂを共通ノードＮＣａ，ＮＣｂに共通に接続できるので、入力バッファ回路１１ｃ，１１ｃ，…の間における周波数ばらつきを低減できる。【００５３】
（受信システム）
図１１のように、各実施形態における受信回路は、受信ＬＳＩ（受信システム）に適用可能である。図１１に示した受信ＬＳＩは、２４個のＩ／Ｏセルと、１２個の入力バッファ回路１１，１１ｘ，…と、４個の出力回路１２，１２ｘ，…と、４個の信号処理装置１３，１３ｘ，…とを備える。また、３個の入力バッファ回路，１個の出力回路，および１個の信号処理装置によって１つのデータチャネルが構成される。例えば、３個の入力バッファ回路１１，１１，１１と出力回路１２は、信号処理装置１３と同一のデータチャネルに属する。同様に、入力バッファ回路１１ｘ，１１ｙ，１１ｚ，出力回路１２ｘ，１２ｙ，１２ｚは、それぞれ、信号処理装置１３ｘと同一のデータチャネル，信号処理装置１３ｙと同一のデータチャネル，信号処理装置１３ｚと同一のデータチャネルに属する。【００５４】
入力ポート０，入力ポート１，入力ポート２の各々には、８個のＩ／Ｏセルの配置に応じて４個の入力バッファ回路１１，１１ｘ，１１ｙ，１１ｚが配置される。また、入力ポート０，入力ポート１，入力ポート２にそれぞれ形成された入力バッファ回路１１，１１，１１は、共通の配線対を介して出力回路１２に接続される。信号処理装置１３は、出力回路１２からの電圧信号ＶＯａ，ＶＯｂを処理する。なお、他のデータチャネルにおける接続関係は、入力バッファ回路１１，１１，１１と，出力回路１２，および信号処理装置１３が属するデータチャネルと同様であるので、ここでは図示を省略する。この受信ＬＳＩでは、入力バッファ回路間における周波数ばらつきを低減できるので、信号処理装置は、正常に信号処理を実行できる。
【産業上の利用可能性】
【００５５】
以上のように、この発明による受信回路は、入力バッファ回路間における周波数特性のばらつきを低減でき、安定した受信を実現できるので、多対一通信を必要とする高速信号伝送システムなどに有用である。
【図１】
2010041352.tif 000003
【図２】
2010041352.tif 000004
【図３】
2010041352.tif 000005
【図４】
2010041352.tif 000006
【図５】
2010041352.tif 000007
【図６】
2010041352.tif 000008
【図７】
2010041352.tif 000009
【図８】
2010041352.tif 000010
【図９】
2010041352.tif 000011
【図１０】
2010041352.tif 000012
【図１１】
2010041352.tif 000013
【図１２】
2010041352.tif 000014
【図１３】
2010041352.tif 000015
【図１４】
2010041352.tif 000016
【手続補正書】
【提出日】平成21年4月23日(2009.4.23)
【手続補正１】
【補正対象書類名】明細書
【補正対象項目名】全文
【補正方法】変更
【補正の内容】
【発明の詳細な説明】
【技術分野】
【０００１】
この発明は複数の入力信号のうちいずれか１つを選択的に受信する受信回路に関する。
【背景技術】
【０００２】
近年、映像の高画質化や音声の高音質化に伴って機器間を伝送する情報量が増加しており、それに伴って機器間の信号伝送速度の向上が望まれている。例えば、ＨＤＭＩ（High Definition Multimedia Interface）に準拠した表示装置において画素数が“１９２０×１０８０”であるパネルに動画像を表示する場合、インターレース方式では約７５０Ｍｂｐｓの速度で信号の送受信を行う必要があり、プログレッシブ方式では倍の約１．５Ｇｂｐｓの速度が必要となる。このような数Ｇｂｐｓを超える超高速の送受信を実現するためには、受信装置の受信可能帯域（受信装置が入力信号を正常に受信できる周波数帯域）を数ＧＨｚ以上に設定するとともに、受信装置の内部における信号減衰を極力小さく抑える必要がある。
【０００３】
また、近年では、図１２のように、複数の送信装置を１つの受信装置に接続して多対一通信を行うことが必要とされてきている。例えば、表示機器の３つの入力ポートにＤＶＤレコーダ，デジタルビデオカメラ，およびプロジェクターを個別に接続し、これらの中からいずれか１つを選択して映像を表示することが求められている。図１２では、送信装置８，８，…の各々に含まれる送信ＬＳＩ８１は、伝送路を介して受信装置９の受信ＬＳＩ９０に接続される。受信装置９内において伝送路から受信ＬＳＩ９０に至る信号経路には、終端抵抗Ｒ９０が設けられている。受信ＬＳＩ９０は、選択信号ＳＥＬに応答して送信装置８，８，…のうちいずれか１つからの信号を選択的に受信する。
【０００４】
図１３は、このような多対一通信に対応した従来の受信回路の構成を示す。この受信回路は、複数の送信装置から送信された複数の差動信号（入力信号Ｓａ，Ｓｂ）にそれぞれ対応する入力バッファ回路９１，９１，…と、セレクタ９２とを含む。
【０００５】
入力バッファ回路９１，９１，…のうち選択信号ＳＥＬが供給された入力バッファ回路では、信号選択部９０１が電圧電流変換部９０２を駆動させ、電圧電流変換部９０２が差動信号（入力信号Ｓａ，Ｓｂ）を一対の電流に変換し、負荷抵抗９０３が電圧電流変換部９０２によって得られた一対の電流を電圧信号Ｖ９１ａ，Ｖ９１ｂに変換する。
【０００６】
セレクタ９２は、入力バッファ回路９１，９１，…にそれぞれ対応する信号入力部９０４，９０４，…と、負荷抵抗９０５と、定電流源９１３とを含む。信号入力部９０４，９０４，…のうち選択信号ＳＥＬが供給された信号入力部では、カスコードトランジスタ対（９１１ａ，９１１ｂ）がオン状態になり、入力トランジスタ対（９１２ａ，９１２ｂ）が入力バッファ回路９１からの電圧信号Ｖ９１ａ，Ｖ９１ｂを一対の電流に変換する。この入力トランジスタ対（９１２ａ，９１２ｂ）によって得られた一対の電流は、負荷抵抗９０５によって電圧信号ＶＯａ，ＶＯｂに変換される。このように、入力バッファ回路９１，９１，…のうちいずれか１つとその入力バッファ回路９１に対応する信号入力部９０４とに選択信号ＳＥＬを供給することにより、複数の差動信号（入力信号Ｓａ，Ｓｂ）のうちいずれか１つを選択的に受信できる。なお、セレクタ９２の構成は、特許文献１や特許文献２にも開示されている。
【０００７】
図１４は、図１３に示した受信回路を備える受信ＬＳＩの構成を示す。この受信ＬＳＩでは、入力ポート０，入力ポート１，入力ポート２の各々は、４つのデータチャネルで構成されている。各入力ポートにおいて、８個のＩ／Ｏセルの配置に応じて４個の入力バッファ回路９１，９１ｘ，９１ｙ，９１ｚが配置される。また、入力ポート０，入力ポート１，入力ポート２にそれぞれ形成された入力バッファ回路９１，９１，９１は、個別の配線対を介してセレクタ９２に接続される。なお、入力バッファ回路９１ｘとセレクタ９２ｘ，入力バッファ回路９１ｙとセレクタ９２ｙ，入力バッファ回路９１ｚとセレクタ９２ｚのそれぞれの接続関係は、入力バッファ回路９１とセレクタ９２の接続関係と同様であるので、ここでは図示を省略する。
【先行技術文献】
【特許文献】
【０００８】
【特許文献１】特開平１０−２８５００６号公報
【特許文献２】特開２００１−１６８６９２号公報
【発明の概要】
【発明が解決しようとする課題】
【０００９】
しかしながら、従来の受信回路では、入力バッファ回路とセレクタとを結ぶ配線の長さが入力バッファ回路ごとに異なる。入力バッファ回路とセレクタとを結ぶ配線が長くなる程、入力バッファ回路の出力端に付加される負荷（寄生配線容量や寄生配線抵抗）が増加して受信可能帯域が狭くなる。そのため、入力バッファ回路間において周波数特性のばらつきが生じてしまい、安定した受信を実現できない。例えば、ある入力信号については正常に受信できるが、受信対象を別の入力信号に切り換えると正常に受信できなくなるといった現象が生じてしまう。
【００１０】
そこで、この発明は、入力バッファ回路間における周波数特性のばらつきを低減できる受信回路を提供することを目的とする。
【課題を解決するための手段】
【００１１】
この発明の１つの局面に従うと、受信回路は、複数の入力信号対のうちいずれか１対を選択的に受信する回路であって、上記複数の入力信号対がそれぞれ供給され、自己に供給された入力信号対に対応する電流信号対を共通ノード対に供給する出力モードと上記電流信号対の供給を停止する遮断モードとを切換可能な複数の入力バッファ回路と、上記共通ノード対に供給された電流信号対を電圧信号対に変換する出力回路とを備え、上記複数の入力バッファ回路の各々は、上記出力モードにおいて上記共通ノード対に繋がる中間ノード対から第１の基準ノードに至る一対の電流経路に一対の定電流を発生させ、上記遮断モードにおいて上記一対の定電流の発生を停止する第１の定電流発生部と、上記出力モードにおいて上記中間ノード対から第２の基準ノードに至る一対の電流経路にその入力バッファ回路に供給された入力信号対に対応する一対の入力電流を発生させることで上記中間ノード対から上記共通ノード対に至る一対の電流経路に上記電流信号対を発生させ、上記遮断モードにおいて上記一対の入力電流の発生を停止する電圧電流変換部とを備える。上記受信回路では、複数の入力バッファ回路の各々の中間ノード対は、出力回路の共通ノード対に共通に接続される。そのため、入力バッファ回路のそれぞれの配置に拘わらず、入力バッファ回路間において中間ノード対に付加される負荷を等しくすることができるので、入力バッファ回路間における周波数特性のばらつきを低減できる。
【００１２】
好ましくは、上記複数の入力バッファ回路の各々は、上記共通ノード対からその入力バッファ回路の中間ノード対に至る一対の電流経路に形成され、第１のバイアス電圧がゲート対に供給される入力側トランジスタ対をさらに含む。このように構成することにより、中間ノード対における電圧変動を抑制できるので、第１の定電流発生部は、定電流を正確に供給できる。
【００１３】
好ましくは、上記複数の入力バッファ回路の各々は、上記出力モードにおいて上記入力側トランジスタ対のゲート対に上記第１のバイアス電圧を供給し、上記遮断モードにおいて上記第１のバイアス電圧の供給を停止する第１の電圧生成部をさらに含む。このように構成することにより、遮断モードである入力バッファ回路から共通ノード対にノイズが伝播することを防止できる。
【００１４】
好ましくは、上記出力回路は、上記共通ノード対から上記第２の基準ノードに至る一対の電流経路に一対の定電流を発生させる第２の定電流発生部と、上記電圧信号対を出力するための出力ノード対から上記共通ノード対に至る一対の電流経路に形成され、第２のバイアス電圧がゲート対に供給される出力側トランジスタ対と、上記出力ノード対から第３の基準ノードに至る一対の電流経路に形成された負荷抵抗対とを含む。このように構成することにより、従来よりも入力インピーダンスを小さくできるため、周波数特性を向上させることができる。
【００１５】
好ましくは、上記第３の基準ノードに供給される電圧は、上記第１の基準ノードに供給される電圧よりも低く、上記第２の基準ノードに供給される電圧よりも高い。このように構成することにより、出力回路の後段に接続される装置を低耐圧化することができ、後段の装置の周波数特性を向上させることができる。
【００１６】
この発明のもう１つの局面に従うと、受信回路は、複数の入力信号のうちいずれか１つを選択的に受信する回路であって、上記複数の入力信号がそれぞれ供給され、自己に供給された入力信号に対応する電流信号を共通ノードに供給する出力モードと上記電流信号の供給を停止する遮断モードとを切換可能な複数の入力バッファ回路と、上記共通ノードに供給された電流信号を電圧信号に変換する出力回路とを備え、上記複数の入力バッファ回路の各々は、上記出力モードにおいて上記共通ノードに繋がる中間ノードから第１の基準ノードに至る電流経路に定電流を発生させ、上記遮断モードにおいて上記定電流の発生を停止する第１の定電流発生部と、上記出力モードにおいて上記中間ノードから第２の基準ノードに至る電流経路にその入力バッファ回路に供給された入力信号に対応する入力電流を発生させることで上記中間ノードから上記共通ノードに至る電流経路に上記電流信号を発生させ、上記遮断モードにおいて上記入力電流の発生を停止する電圧電流変換部とを備える。上記受信回路では、複数の入力バッファ回路の各々の中間ノードは、出力回路の共通ノードに共通に接続されるので、入力バッファ回路間における周波数特性のばらつきを低減できる。
【発明の効果】
【００１７】
以上のように、入力バッファ回路間における周波数特性のばらつきを低減できる。
【図面の簡単な説明】
【００１８】
【図１】実施形態１による受信回路の構成例を示す図。
【図２】図１に示した電圧生成部の構成例を示す図。
【図３】図１に示した入力バッファ回路の変形例について説明するための図。
【図４】図１に示した出力回路の変形例について説明するための図。
【図５】実施形態２による受信回路の構成例を示す図。
【図６】実施形態３における入力バッファ回路の構成例を示す図。
【図７】実施形態３における出力回路の構成例を示す図。
【図８】出力回路の変形例について説明するための図。
【図９】入力バッファ回路の変形例について説明するための図。
【図１０】受信回路の変形例について説明するための図。
【図１１】図１に示した受信回路を備える受信ＬＳＩの構成例を示す図。
【図１２】多対一通信について説明するための図。
【図１３】多対一通信に対応した従来の受信回路の構成を示す図。
【図１４】図１３に示した受信回路を備える従来の受信ＬＳＩの構成を示す図。
【発明を実施するための形態】
【００１９】
以下、この発明の実施の形態を図面を参照して詳しく説明する。なお、図中同一または相当部分には同一の符号を付しその説明は繰り返さない。
【００２０】
（実施形態１）
図１は、この発明の実施形態１による受信回路の構成例を示す。この受信回路は、複数の差動信号（一対の入力信号Ｓａ，Ｓｂ）のうちいずれか１つを選択的に受信するものであり、複数の差動信号がそれぞれ供給される複数の入力バッファ回路１１，１１，…と、出力回路１２とを備える。
【００２１】
入力バッファ回路１１，１１，…の各々は、選択信号ＳＥＬによって出力モードと遮断モードとを切換可能であり、選択信号ＳＥＬが活性化状態である場合（選択信号ＳＥＬが供給される場合）には出力モードに設定され、選択信号ＳＥＬが非活性化状態である場合（選択信号ＳＥＬが供給されない場合）には遮断モードに設定される。入力バッファ回路１１，１１，…の各々は、出力モードでは自己に供給された入力信号Ｓａ，Ｓｂに対応する電流信号Ｉａ，Ｉｂを共通ノードＮＣａ，ＮＣｂに供給し、遮断モードでは電流信号Ｉａ，Ｉｂの供給を停止する。出力回路１２は、共通ノードＮＣａ，ＮＣｂに供給された電流信号Ｉａ，Ｉｂを電圧信号ＶＯａ，ＶＯｂに変換する。受信対象とする差動信号が供給される入力バッファ回路１１を出力モードに設定するとともに他の入力バッファ回路１１，１１，…を遮断モードに設定することにより、受信対象とする差動信号に対応する電圧信号対を出力できる。
【００２２】
また、入力バッファ回路１１，１１，…の各々において、中間ノードＮＭａ，ＮＭｂは、入力側トランジスタ１０３ａ，１０３ｂを介して出力回路１２の共通ノードＮＣａ，ＮＣｂに共通に接続されている。これにより、入力バッファ回路１１，１１，…のそれぞれの配置に拘わらず、入力バッファ回路１１，１１，…の各々の出力端に付加される負荷（寄生配線容量や寄生配線抵抗など）を等しくすることができ、入力バッファ回路１１，１１，…の間における周波数特性のばらつきを低減でき、安定した受信を実現できる。
【００２３】
〔入力バッファ回路〕
入力バッファ回路１１，１１，…の各々は、定電流発生部１０１と、電圧電流変換部１０２と、入力側トランジスタ１０３ａ，１０３ｂと、電圧生成部１０４とを含む。
【００２４】
定電流発生部１０１は、定電流源ＣＳａ，ＣＳｂと、選択信号ＳＥＬに応答して定電流源ＣＳａ，ＣＳｂと電源ノード（電源電圧ＶＤＤ１が供給されるノード）との接続を切り換えるスイッチ素子ＳＷａ，ＳＷｂとを含む。選択信号ＳＥＬが活性化状態である場合、スイッチ素子ＳＷａ，ＳＷｂがオンになり、電源ノードから定電流源ＣＳａ，ＣＳｂを介して中間ノードＮＭａ，ＮＭｂに至る一対の電流経路に一対の定電流が発生する。一方、選択信号ＳＥＬが非活性化状態である場合、スイッチ素子ＳＷａ，ＳＷｂがオフになり、定電流源ＣＳａ，ＣＳｂが電源ノードから切り離されて定電流の供給が停止する。
【００２５】
電圧電流変換部１０２は、入力信号Ｓａ，Ｓｂがゲートにそれぞれ供給される差動トランジスタＴａ，Ｔｂと、定電流源ＣＳｃと、選択信号ＳＥＬに応答して定電流源ＣＳｃと接地ノード（接地電圧ＧＮＤが供給されるノード）との接続を切り換えるスイッチ素子ＳＷｃとを含む。
【００２６】
選択信号ＳＥＬが活性化状態である場合、スイッチ素子ＳＷｃがオンになる。これにより、差動トランジスタＴａ，Ｔｂによって入力信号Ｓａ，Ｓｂが一対の入力電流に変換され、中間ノードＮＭａ，ＮＭｂから差動トランジスタＴａ，Ｔｂ，定電流源ＣＳｃを介して接地ノードに至る一対の電流経路において差動トランジスタＴａ，Ｔｂによって得られた一対の入力電流が発生する。また、定電流発生部１０１によって中間ノードＮＭａ，ＮＭｂのそれぞれに定電流が供給されているので、中間ノードＮＭａ，ＮＭｂから共通ノードＮＣａ，ＮＣｂに至る一対の電流経路には、定電流対と入力電流対との差に応じた一対の電流が電流信号Ｉａ，Ｉｂとして発生する。一方、選択信号ＳＥＬが非活性化状態である場合、スイッチ素子ＳＷｃがオフになり、定電流源ＣＳｃが接地ノードから切り離され、その結果、入力信号Ｓａ，Ｓｂに対応する一対の入力電流が発生しなくなる。
【００２７】
入力側トランジスタ１０３ａ，１０３ｂは、共通ノードＮＣａ，ＮＣｂから中間ノードＮＭａ，ＮＭｂに至る一対の電流経路に形成され、それぞれのゲートにはバイアス電圧ＶＢ１が供給される。入力側トランジスタ１０３ａ，１０３ｂのゲートにバイアス電圧ＶＢ１を供給することにより、中間ノードＮＭａ，ＮＭｂにおける電圧変動を抑制できるので、定電流源ＣＳａ，ＣＳｂの各々は、定電流を正確に供給できる。
【００２８】
電圧生成部１０４は、選択信号ＳＥＬが活性化状態である場合にはバイアス電圧ＶＢ１を生成する。これにより、入力側トランジスタ１０３ａ，１０３ｂがオン状態になり、電流信号Ｉａ，Ｉｂが入力側トランジスタ１０３ａ，１０３ｂを介して共通ノードＮＣａ，ＮＣｂに供給される。また、電圧生成部１０４は、選択信号ＳＥＬが非活性化状態である場合にはバイアス電圧ＶＢ１の供給を停止する。これにより、入力側トランジスタ１０３ａ，１０３ｂがオフ状態になるので、遮断モードである入力バッファ回路１１から共通ノードＮＣａ，ＮＣｂにノイズが伝播することを防止できる。例えば、図２のように、電圧生成部１０４は、カレントミラー回路を構成するトランジスタＴ１，Ｔ２と、ｐＭＯＳトランジスタＴ３と、選択信号ＳＥＬに応答してオン／オフするスイッチ素子ＳＷ１，ＳＷ２，ＳＷ３とを含む。
【００２９】
〔出力回路〕
出力回路１２は、定電流発生部１０５と、出力側トランジスタ１０６ａ，１０６ｂと、負荷抵抗１０７ａ，１０７ｂとを含む。
【００３０】
定電流発生部１０５は、共通ノードＮＣａ，ＮＣｂから接地ノードに至る一対の電流経路に一対の定電流を発生させる。これにより、電源ノード（電源電圧ＶＤＤ２が供給されるノード）から出力ノードＮＯａ，ＮＯｂを介して共通ノードＮＣａ，ＮＣｂに至る一対の電流経路に電流信号Ｉａ，Ｉｂが流れる。例えば、定電流発生部１０５は、定電流源ＣＳｄ，ＣＳｅを含む。
【００３１】
出力側トランジスタ１０６ａ，１０６ｂは、出力ノードＮＯａ，ＮＯｂから共通ノードＮＣａ，ＮＣｂに至る一対の電流経路に形成され、出力側トランジスタ１０６ａ，１０６ｂのゲートには、バイアス電圧ＶＢ２が供給される。このように、共通ノードＮＣａ，ＮＣｂに出力側トランジスタ１０６ａ，１０６ｂが接続されているので、出力回路１２の入力インピーダンスは、出力側トランジスタ１０６ａ，１０６ｂの相互コンダクタンスの逆数とほぼ等しくなる。これにより、従来よりも入力インピーダンスを小さくできるため、受信回路の周波数特性を向上させることができる。
【００３２】
負荷抵抗１０７ａ，１０７ｂは、電源ノードから出力ノードＮＯａ，ＮＯｂに至る一対の電流経路に形成される。この負荷抵抗１０７ａ，１０７ｂによって電流信号Ｉａ，Ｉｂは電圧信号ＶＯａ，ＶＯｂに変換される。
【００３３】
〔電源電圧の大きさ〕
なお、電源電圧ＶＤＤ２は、電源電圧ＶＤＤ１よりも低くても良い。このように構成することにより、電圧信号ＶＯａ，ＶＯｂのコモンモード電位を入力信号Ｓａ，Ｓｂのコモンモード電位よりも低くできるので、出力回路１２の後段に接続される装置の耐圧制限を緩和できる。すなわち、電圧信号ＶＯａ，ＶＯｂが入力信号Ｓａ，Ｓｂと同一のコモンモード電位を有する場合と比較して、後段の装置を構成するトランジスタの耐圧を低くできる。例えば、後段の装置をｐＭＯＳトランジスタよりも耐圧の低いｎＭＯＳトランジスタで構成できる。また、一般的に、トランジスタの耐圧を低くする程、トランジスタの利得帯域幅積（ｆｔ）を高くできる。そのため、後段の装置を低耐圧化することにより、後段の装置の周波数特性を向上させることができる。
【００３４】
〔定電流の大きさ〕
また、定電流発生部１０５によって供給される定電流を定電流発生部１０１によって供給される定電流よりも大きくしても良い。入力バッファ回路１１において、定電流発生部１０１から一対の定電流が供給されている場合に電圧電流変換部１０２が遮断モードになると、定電流発生部１０１からの一対の定電流がすべて出力回路１２の共通ノードＮＣａ，ＮＣｂに流れ込んでしまう。例えば、入力信号Ｓａ，Ｓｂのコモンモード電位が低下して差動トランジスタＴａ，Ｔｂの両方がオフ状態になると、このような現象が生じる。ここで、定電流発生部１０５の定電流が定電流発生部１０１の定電流よりも小さい場合、共通ノードＮＣａ，ＮＣｂの電圧が上昇して出力側トランジスタ１０６ａ，１０６ｂが破壊されてしまうおそれがある。したがって、定電流発生部１０５の定電流を定電流発生部１０１の定電流よりも大きくすることにより、共通ノードＮＣａ，ＮＣｂの電圧上昇を防止できる。
【００３５】
（入力バッファ回路の変形例）
図３のように、入力バッファ回路１１は、図１に示した電圧電流変換部１０２に代えて、ハイパスフィルタ特性を有する電圧電流変換部１０２ａを含んでいても良い。電圧電流変換部１０２ａは、図１に示した電圧電流変換部１０２の構成に加えて、抵抗素子ＲＲＲおよび容量素子ＣＣＣを含む。また、電圧電流変換部１０２ａは、定電流源ＣＳｃ，スイッチ素子ＳＷｃに代えて、定電流源ＣＳｃ１，ＣＳｃ２，スイッチ素子ＳＷｃ１，ＳＷｃ２を含む。このように構成することにより、高周波信号の減衰を抑制でき、受信回路の受信可能帯域を拡張できる。なお、抵抗素子ＲＲＲの抵抗値や容量素子ＣＣＣの容量値は可変であっても良い。このように構成することにより、入力バッファ回路１１のＤＣゲイン値やカットオフ周波数を調整できる。また、入力信号Ｓａ，Ｓｂの周波数や振幅に応じて設定することにより、受信波形を最良な状態に設定できる。
【００３６】
（出力回路の変形例）
また、図４のように、出力回路１２は、図１に示した構成に加えて、電流源ＣＳ１，ＣＳ２を含んでいても良い。電流源ＣＳ１は、電源ノードと出力ノードＮＯａとの間で負荷抵抗１０７ａと並列に接続され、電流源ＣＳ２は、電源ノードと出力ノードＮＯｂとの間で負荷抵抗１０７ｂと並列に接続される。このように構成することにより、出力ノードＮＯａ，ＮＯｂから共通ノードＮＣａ，ＮＣｂに至る一対の電流経路の電流量を増加させることができ、出力回路１２の入力インピーダンスをさらに低減できる。
【００３７】
（実施形態２）
図５は、この発明の実施形態２による受信回路の構成例を示す。この受信回路は、図１に示した出力回路１２に代えて出力回路２２およびリセット回路２３を備える。
【００３８】
〔出力回路〕
出力回路２２は、図１に示した定電流発生部１０５に代えて定電流発生部２０５を含むとともに電圧生成部２０２をさらに含む。電圧生成部２０２は、出力回路２２をリセット状態にするためのリセット信号ＲＥＳＥＴに応答してバイアス電圧ＶＢ２の供給／非供給を切り換える。定電流発生部２０５は、定電流源ＣＳｄ，ＣＳｅと、リセット信号ＲＥＳＥＴに応答して定電流源ＣＳｄ，ＣＳｅと接地ノードとの接続を切り換えるスイッチ素子ＳＷｄ，ＳＷｅとを含む。
【００３９】
リセット信号ＲＥＳＥＴが非活性化状態である場合では、電圧生成部２０２は、出力側トランジスタ１０６ａ，１０６ｂのゲートにバイアス電圧ＶＢ２を供給する。また、スイッチ素子ＳＷｄ，ＳＷｅがオンになり、共通ノードＮＣａ，ＮＣｂから接地ノードに至る一対の電流経路に一対の定電流が発生する。これにより、入力バッファ回路１１からの電流信号Ｉａ，Ｉｂを電圧信号ＶＯａ，ＶＯｂに変換できる。一方、リセット信号ＲＥＳＥＴが活性化状態である場合では、電圧生成部２０２は、バイアス電圧ＶＢ２の供給を停止する。また、スイッチ素子ＳＷｄ，ＳＷｅがオフになり、定電流源ＣＳｄ，ＣＳｅが接地ノードから切り離されて定電流が発生しなくなる。これにより、出力回路２２がリセット状態になる。
【００４０】
〔リセット回路〕
リセット回路２３は、リセット信号ＲＥＳＥＴに応答して選択信号ＳＥＬの通過／遮断を切り換えることにより、入力バッファ回路１１，１１，…の動作モードを制御する。リセット回路２３は、入力バッファ回路１１，１１，…にそれぞれ対応する論理積回路２０１，２０１，…を含む。論理積回路２０１，２０１，…の各々は、リセット信号ＲＥＳＥＴに応答して選択信号ＳＥＬの通過／遮断を切り換える。
【００４１】
リセット信号ＲＥＳＥＴが非活性化状態である場合（ここでは、リセット信号ＲＥＳＥＴがハイレベルである場合）には、リセット回路２３は、選択信号ＳＥＬを入力バッファ回路１１，１１，…に通過させる。これにより、入力バッファ回路１１，１１，…の各々の動作モードは、選択信号ＳＥＬによって制御される。一方、リセット信号ＲＥＳＥＴが活性化状態である場合（ここでは、リセット信号ＲＥＳＥＴがローレベルである場合）には、リセット回路２３は、選択信号ＳＥＬを遮断する。これにより、入力バッファ回路１１，１１，…の各々において選択信号ＳＥＬが非活性化状態になったことになり、入力バッファ回路１１，１１，…の各々は遮断モードに強制的に設定される。
【００４２】
以上のように、出力回路２２がリセット状態である場合に選択信号ＳＥＬの状態に拘わらず入力バッファ回路１１，１１，…の全てを遮断モードに強制的に設定することにより、入力バッファ回路１１，１１，…から不要な電流信号Ｉａ，Ｉｂが供給されることを防止できるので、出力回路の入力端（共通ノードＮＣａ，ＮＣｂ）における電圧変動を抑制できる。
【００４３】
（実施形態３）
次に、図５〜図７を参照して、この発明の実施形態３による受信回路について説明する。この受信回路は、図５に示した入力バッファ回路１１，１１，…および出力回路２２に代えて、入力バッファ回路３１，３１，…（図６参照）と、出力回路３２（図７参照）とを備える。
【００４４】
〔入力バッファ回路〕
図６に示した入力バッファ回路３１は、図１に示した構成に加え、入力側電圧固定部３０１を含む。入力側電圧固定部３０１は、リセット信号ＲＥＳＥＴに応答して入力側トランジスタ１０３ａ，１０３ｂのドレインと接地ノードとの接続を切り換えるプルダウントランジスタ３１１ａ，３１１ｂを含む。
【００４５】
リセット信号ＲＥＳＥＴが活性化状態である場合（ここでは、リセット信号ＲＥＳＥＴがローレベルである場合）には、プルダウントランジスタ３１１ａ，３１１ｂがオン状態になり、入力側トランジスタ１０３ａ，１０３ｂのドレイン電圧が固定される。これにより、入力側トランジスタ１０３ａ，１０３ｂのドレインに繋がる出力回路３２の入力端（共通ノードＮＣａ，ＮＣｂ）における電圧変動を抑制できる。一方、リセット信号ＲＥＳＥＴが非活性化状態である場合（ここでは、リセット信号ＲＥＳＥＴがハイレベルである場合）には、プルダウントランジスタ３１１ａ，３１１ｂがオフ状態になり、入力側トランジスタ１０３ａ，１０３ｂのドレイン電圧の固定が解除される。
【００４６】
〔出力回路〕
図７に示した出力回路３２は、図５に示した構成に加えて、出力側電圧固定部３０２を備える。出力側電圧固定部３０２は、リセット信号ＲＥＳＥＴに応答して共通ノードＮＣａ，ＮＣｂと接地ノードとの接続を切り換えるプルダウントランジスタ３１２ａ，３１２ｂを含む。
【００４７】
リセット信号ＲＥＳＥＴが活性化状態である場合、プルダウントランジスタ３１２ａ，３１２ｂがオンになり、共通ノードＮＣａ，ＮＣｂの電圧が固定される。これにより、共通ノードＮＣａ，ＮＣｂにおける電圧変動を抑制できる。一方、リセット信号ＲＥＳＥＴが非活性化状態である場合には、プルダウントランジスタ３１２ａ，３１２ｂがオフ状態になり、電圧の固定が解除される。
【００４８】
以上のように、出力回路３２がリセット状態である場合に共通ノードＮＣａ，ＮＣｂの電圧を確定させることができるので、共通ノードＮＣａ，ＮＣｂにおける電圧変動をさらに抑制できる。なお、入力側電圧固定部３０１および出力側電圧固定部３０２は、図１に示した受信回路にも適用可能である。すなわち、入力側電圧固定部３０１および出力側電圧固定部３０２の少なくとも一方を設けることにより、出力回路１２をリセット状態に設定できる。
【００４９】
（出力回路の構成）
以上の各実施形態において、出力回路を図８のように構成しても良い。図８に示した出力回路１２ｂは、共通ノードＮＣａ，ＮＣｂから接地ノードに至る一対の電流経路に形成された負荷抵抗１０７ａ，１０７ｂを含む。このように構成した場合も、入力バッファ回路の各々の中間ノードＮＭａ，ＮＭｂを出力回路１２ｂの共通ノードＮＣａ，ＮＣｂに共通に接続させることができるので、入力バッファ回路間における周波数特性のばらつきを低減できる。
【００５０】
（入力バッファ回路の構成）
なお、入力バッファ回路の構成は、多種多様であり、図１，図３，図６に示した構成に限定されない。例えば、図９のように、入力バッファ回路１１は、差動トランジスタＴａ，Ｔｂのそれぞれのドレインが定電流源ＣＳｃに共通に接続されている電圧電流変換部１０２に代えて、差動トランジスタＴａ，Ｔｂのドレインが接地ノードに直接接続されている電圧電流変換部１０２ｂを含んでいても良い。
【００５１】
また、図９からわかるように、各実施形態による受信回路は、差動信号だけでなく単一の入力信号を受信するものであってもよい。例えば、入力バッファ回路１１，１１，…のそれぞれに差動信号ではなく単一の入力信号Ｓａが供給され、入力バッファ回路１１，１１，…の各々が入力信号Ｓａに対応する電流信号Ｉａを供給し、出力回路１２が共通ノードＮＣａに供給された電流信号Ｉａを電圧信号ＶＯａに変換するように構成しても良い。
【００５２】
（受信回路の変形例）
なお、図１０のように、各実施形態における受信回路を、接地電圧ＧＮＤを基準とする差動信号Ｓａ，Ｓｂを受信できるように構成しても良い。図１０に示した受信回路は、入力バッファ回路１１ｃ，１１ｃ，…と、出力回路１２ｃとを備える。入力バッファ回路１１ｃ，１１ｃ，…の各々は、定電流発生部１０１ｃと、電圧電流変換部１０２ｃとを含む。定電流発生部１０１ｃは、出力モードにおいて中間ノードＮＭａ，ＮＭｂから接地ノードに至る一対の電流経路に一対の定電流を発生させ、遮断モードにおいて一対の定電流の発生を停止する。電圧電流変換部１０２ｃは、出力モードにおいて中間ノードＮＭａ，ＮＭｂから電源ノード（電源電圧ＶＤＤ１が供給されるノード）に至る一対の電流経路に入力信号Ｓａ，Ｓｂに対応する一対の入力電流を発生させることで一対の電流信号Ｉａ，Ｉｂを発生させ、遮断モードにおいて一対の入力電流の発生を停止する。出力回路１２ｃは、共通ノードＮＣａ，ＮＣｂに供給された電流信号Ｉａ，Ｉｂを電圧信号ＶＯａ，ＶＯｂに変換する。このように構成した場合も、入力バッファ回路１１ｃ，１１ｃ，…の各々の中間ノードＮＭａ，ＮＭｂを共通ノードＮＣａ，ＮＣｂに共通に接続できるので、入力バッファ回路１１ｃ，１１ｃ，…の間における周波数ばらつきを低減できる。
【００５３】
（受信システム）
図１１のように、各実施形態における受信回路は、受信ＬＳＩ（受信システム）に適用可能である。図１１に示した受信ＬＳＩは、２４個のＩ／Ｏセルと、１２個の入力バッファ回路１１，１１ｘ，…と、４個の出力回路１２，１２ｘ，…と、４個の信号処理装置１３，１３ｘ，…とを備える。また、３個の入力バッファ回路，１個の出力回路，および１個の信号処理装置によって１つのデータチャネルが構成される。例えば、３個の入力バッファ回路１１，１１，１１と出力回路１２は、信号処理装置１３と同一のデータチャネルに属する。同様に、入力バッファ回路１１ｘ，１１ｙ，１１ｚ，出力回路１２ｘ，１２ｙ，１２ｚは、それぞれ、信号処理装置１３ｘと同一のデータチャネル，信号処理装置１３ｙと同一のデータチャネル，信号処理装置１３ｚと同一のデータチャネルに属する。
【００５４】
入力ポート０，入力ポート１，入力ポート２の各々には、８個のＩ／Ｏセルの配置に応じて４個の入力バッファ回路１１，１１ｘ，１１ｙ，１１ｚが配置される。また、入力ポート０，入力ポート１，入力ポート２にそれぞれ形成された入力バッファ回路１１，１１，１１は、共通の配線対を介して出力回路１２に接続される。信号処理装置１３は、出力回路１２からの電圧信号ＶＯａ，ＶＯｂを処理する。なお、他のデータチャネルにおける接続関係は、入力バッファ回路１１，１１，１１と，出力回路１２，および信号処理装置１３が属するデータチャネルと同様であるので、ここでは図示を省略する。この受信ＬＳＩでは、入力バッファ回路間における周波数ばらつきを低減できるので、信号処理装置は、正常に信号処理を実行できる。
【産業上の利用可能性】
【００５５】
以上のように、この発明による受信回路は、入力バッファ回路間における周波数特性のばらつきを低減でき、安定した受信を実現できるので、多対一通信を必要とする高速信号伝送システムなどに有用である。
【符号の説明】
【００５６】
１１    入力バッファ回路
１２    出力回路
１０１    定電流発生部
１０２    電圧電流変換部
１０３ａ，１０３ｂ    入力側トランジスタ
１０４    電圧生成部
１０５    定電流発生部
１０６ａ，１０６ｂ    出力側トランジスタ
１０７ａ，１０７ｂ    負荷抵抗
２３    リセット回路
３０１    出力側電圧固定部
３０２    入力側電圧固定部
ＲＲＲ    抵抗素子
ＣＣＣ    容量素子
【手続補正２】
【補正対象書類名】特許請求の範囲
【補正対象項目名】全文
【補正方法】変更
【補正の内容】
【特許請求の範囲】
【請求項１】
複数の入力信号対のうちいずれか１対を選択的に受信する回路であって、
前記複数の入力信号対がそれぞれ供給され、自己に供給された入力信号対に対応する電流信号対を共通ノード対に供給する出力モードと、前記電流信号対の供給を停止する遮断モードとを切換可能な複数の入力バッファ回路と、
前記共通ノード対に供給された電流信号対を電圧信号対に変換する出力回路とを備え、
前記複数の入力バッファ回路の各々は、
前記出力モードにおいて前記共通ノード対に繋がる中間ノード対から第１の基準ノードに至る一対の電流経路に一対の定電流を発生させ、前記遮断モードにおいて前記一対の定電流の発生を停止する第１の定電流発生部と、
前記出力モードにおいて前記中間ノード対から第２の基準ノードに至る一対の電流経路に当該入力バッファ回路に供給された入力信号対に対応する一対の入力電流を発生させることで前記中間ノード対から前記共通ノード対に至る一対の電流経路に前記電流信号対を発生させ、前記遮断モードにおいて前記一対の入力電流の発生を停止する電圧電流変換部とを備える
ことを特徴とする受信回路。
【請求項２】
請求項１において、
前記複数の入力バッファ回路の各々は、
前記共通ノード対から当該入力バッファ回路の中間ノード対に至る一対の電流経路に形成され、第１のバイアス電圧がゲート対に供給される入力側トランジスタ対をさらに含む
ことを特徴とする受信回路。
【請求項３】
請求項２において、
前記複数の入力バッファ回路の各々は、
前記出力モードにおいて前記入力側トランジスタ対のゲート対に前記第１のバイアス電圧を供給し、前記遮断モードにおいて前記第１のバイアス電圧の供給を停止する第１の電圧生成部をさらに含む
ことを特徴とする受信回路。
【請求項４】
請求項３において、
前記出力回路は、
前記共通ノード対から前記第２の基準ノードに至る一対の電流経路に一対の定電流を発生させる第２の定電流発生部と、
前記電圧信号対を出力するための出力ノード対から前記共通ノード対に至る一対の電流経路に形成され、第２のバイアス電圧がゲート対に供給される出力側トランジスタ対と、
前記出力ノード対から第３の基準ノードに至る一対の電流経路に形成された負荷抵抗対とを含む
ことを特徴とする受信回路。
【請求項５】
請求項４において、
前記第３の基準ノードに供給される電圧は、前記第１の基準ノードに供給される電圧よりも低く、前記第２の基準ノードに供給される電圧よりも高い
ことを特徴とする受信回路。
【請求項６】
請求項４において、
前記第２の定電流発生部によって発生される定電流は、前記第１の定電流発生部によって発生される定電流よりも大きい
ことを特徴とする受信回路。
【請求項７】
請求項４において、
前記出力回路は、前記出力ノード対から前記第３の基準ノードに至る一対の電流経路において前記負荷抵抗対と並列に形成された電流源対をさらに含む
ことを特徴とする受信回路。
【請求項８】
請求項４において、
リセット信号に応答して前記複数の入力バッファ回路のそれぞれを前記遮断モードに強制的に設定するリセット回路をさらに備え、
前記出力回路は、前記リセット信号が非活性化状態である場合には前記出力側トランジスタ対のゲート対に前記第２のバイアス電圧を供給し、前記リセット信号が活性化状態である場合には前記第２のバイアス電圧の供給を停止する第２の電圧生成部をさらに備え、
前記第２の定電流発生部は、前記リセット信号が非活性化状態である場合には前記共通ノード対から前記第２の基準ノードに至る一対の電流経路に前記一対の定電流を発生させ、前記リセット信号が活性化状態である場合には前記一対の定電流の発生を停止する
ことを特徴とする受信回路。
【請求項９】
請求項２において、
前記複数の入力バッファ回路の各々は、リセット信号が活性化状態である場合には当該入力バッファ回路の前記入力側トランジスタ対のそれぞれのドレイン電圧を固定し、前記リセット信号が非活性化状態である場合には前記ドレイン電圧の固定を解除する入力側電圧固定部をさらに含む
ことを特徴とする受信回路。
【請求項１０】
請求項１において、
前記出力回路は、リセット信号が活性化状態である場合には前記共通ノード対のそれぞれの電圧を固定し、前記リセット信号が非活性化状態である場合には前記共通ノード対に対する電圧の固定を解除する出力側電圧固定部をさらに含む
ことを特徴とする受信回路。
【請求項１１】
請求項１において、
前記出力回路は、前記共通ノード対から前記第２の基準ノードに至る一対の電流経路に形成された負荷抵抗対を含む
ことを特徴とする受信回路。
【請求項１２】
請求項１において、
前記電圧電流変換部は、
前記中間ノード対から前記第２の基準ノードに至る一対の電流経路に形成され、前記入力信号対がゲート対に供給される差動トランジスタ対と、
前記差動トランジスタ対のソース対の間に並列に形成された抵抗素子および容量素子とを含む
ことを特徴とする受信回路。
【請求項１３】
請求項１２において、
前記抵抗素子の抵抗値および前記容量素子の容量値のうち少なくとも１つは可変である
ことを特徴とする受信回路。
【請求項１４】
請求項１に記載の受信回路と、
前記受信回路からの電圧信号対を処理する信号処理装置とを備える
ことを特徴とする受信システム。
【請求項１５】
複数の入力信号のうちいずれか１つを選択的に受信する回路であって、
前記複数の入力信号がそれぞれ供給され、自己に供給された入力信号に対応する電流信号を共通ノードに供給する出力モードと、前記電流信号の供給を停止する遮断モードとを切換可能な複数の入力バッファ回路と、
前記共通ノードに供給された電流信号を電圧信号に変換する出力回路とを備え、
前記複数の入力バッファ回路の各々は、
前記出力モードにおいて前記共通ノードに繋がる中間ノードから第１の基準ノードに至る電流経路に定電流を発生させ、前記遮断モードにおいて前記定電流の発生を停止する第１の定電流発生部と、
前記出力モードにおいて前記中間ノードから第２の基準ノードに至る電流経路に当該入力バッファ回路に供給された入力信号に対応する入力電流を発生させることで前記中間ノードから前記共通ノードに至る電流経路に前記電流信号を発生させ、前記遮断モードにおいて前記入力電流の発生を停止する電圧電流変換部とを備える
ことを特徴とする受信回路。
【請求項１６】
請求項１５に記載の受信回路と、
前記受信回路からの電圧信号を処理する信号処理装置とを備える
ことを特徴とする受信システム。
【手続補正３】
【補正対象書類名】図面
【補正対象項目名】全図
【補正方法】変更
【補正の内容】
【図１】
2010041352.tif 000017
【図２】
2010041352.tif 000018
【図３】
2010041352.tif 000019
【図４】
2010041352.tif 000020
【図５】
2010041352.tif 000021
【図６】
2010041352.tif 000022
【図７】
2010041352.tif 000023
【図８】
2010041352.tif 000024
【図９】
2010041352.tif 000025
【図１０】
2010041352.tif 000026
【図１１】
2010041352.tif 000027
【図１２】
2010041352.tif 000028
【図１３】
2010041352.tif 000029
【図１４】
2010041352.tif 000030
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
複数の入力信号対のうちいずれか１対を選択的に受信する回路であって、
前記複数の入力信号対がそれぞれ供給され、自己に供給された入力信号対に対応する電流信号対を共通ノード対に供給する出力モードと、前記電流信号対の供給を停止する遮断モードとを切換可能な複数の入力バッファ回路と、
前記共通ノード対に供給された電流信号対を電圧信号対に変換する出力回路とを備え、
前記複数の入力バッファ回路の各々は、
前記出力モードにおいて前記共通ノード対に繋がる中間ノード対から第１の基準ノードに至る一対の電流経路に一対の定電流を発生させ、前記遮断モードにおいて前記一対の定電流の発生を停止する第１の定電流発生部と、
前記出力モードにおいて前記中間ノード対から第２の基準ノードに至る一対の電流経路に当該入力バッファ回路に供給された入力信号対に対応する一対の入力電流を発生させることで前記中間ノード対から前記共通ノード対に至る一対の電流経路に前記電流信号対を発生させ、前記遮断モードにおいて前記一対の入力電流の発生を停止する電圧電流変換部と、
前記共通ノード対から当該入力バッファ回路の中間ノード対に至る一対の電流経路に形成され、第１のバイアス電圧がゲート対に供給される入力側トランジスタ対とを含み、
前記出力回路は、
前記共通ノード対から前記第２の基準ノードに至る一対の電流経路に一対の定電流を発生させる第２の定電流発生部と、
前記電圧信号対を出力するための出力ノード対から前記共通ノード対に至る一対の電流経路に形成され、第２のバイアス電圧がゲート対に供給される出力側トランジスタ対と、
前記出力ノード対から第３の基準ノードに至る一対の電流経路に形成された負荷抵抗対とを含む
ことを特徴とする受信回路。
【請求項２】
請求項１において、
前記複数の入力バッファ回路の各々は、
前記出力モードにおいて前記入力側トランジスタ対のゲート対に前記第１のバイアス電圧を供給し、前記遮断モードにおいて前記第１のバイアス電圧の供給を停止する第１の電圧生成部をさらに含む
ことを特徴とする受信回路。
【請求項３】
請求項１において、
前記第３の基準ノードに供給される電圧は、前記第１の基準ノードに供給される電圧よりも低く、前記第２の基準ノードに供給される電圧よりも高い
ことを特徴とする受信回路。
【請求項４】
請求項１において、
前記第２の定電流発生部によって発生される定電流は、前記第１の定電流発生部によって発生される定電流よりも大きい
ことを特徴とする受信回路。
【請求項５】
請求項１において、
前記出力回路は、前記出力ノード対から前記第３の基準ノードに至る一対の電流経路において前記負荷抵抗対と並列に形成された電流源対をさらに含む
ことを特徴とする受信回路。
【請求項６】
請求項１において、
リセット信号に応答して前記複数の入力バッファ回路のそれぞれを前記遮断モードに強制的に設定するリセット回路をさらに備え、
前記出力回路は、前記リセット信号が非活性化状態である場合には前記出力側トランジスタ対のゲート対に前記第２のバイアス電圧を供給し、前記リセット信号が活性化状態である場合には前記第２のバイアス電圧の供給を停止する第２の電圧生成部をさらに備え、
前記第２の定電流発生部は、前記リセット信号が非活性化状態である場合には前記共通ノード対から前記第２の基準ノードに至る一対の電流経路に前記一対の定電流を発生させ、前記リセット信号が活性化状態である場合には前記一対の定電流の発生を停止する
ことを特徴とする受信回路。
【請求項７】
請求項１において、
前記複数の入力バッファ回路の各々は、リセット信号が活性化状態である場合には当該入力バッファ回路の前記入力側トランジスタ対のそれぞれのドレイン電圧を固定し、前記リセット信号が非活性化状態である場合には前記ドレイン電圧の固定を解除する入力側電圧固定部をさらに含む
ことを特徴とする受信回路。
【請求項８】
請求項１において、
前記出力回路は、リセット信号が活性化状態である場合には前記共通ノード対のそれぞれの電圧を固定し、前記リセット信号が非活性化状態である場合には前記共通ノード対に対する電圧の固定を解除する出力側電圧固定部をさらに含む
ことを特徴とする受信回路。
【請求項９】
請求項１において、
前記電圧電流変換部は、
前記中間ノード対から前記第２の基準ノードに至る一対の電流経路に形成され、前記入力信号対がゲート対に供給される差動トランジスタ対と、
前記差動トランジスタ対のソース対の間に並列に形成された抵抗素子および容量素子とを含む
ことを特徴とする受信回路。
【請求項１０】
請求項９において、
前記抵抗素子の抵抗値および前記容量素子の容量値のうち少なくとも１つは可変である
ことを特徴とする受信回路。
【請求項１１】
請求項１に記載の受信回路と、
前記受信回路からの電圧信号対を処理する信号処理装置とを備える
ことを特徴とする受信システム。
【請求項１２】
複数の入力信号のうちいずれか１つを選択的に受信する回路であって、
前記複数の入力信号がそれぞれ供給され、自己に供給された入力信号に対応する電流信号を共通ノードに供給する出力モードと、前記電流信号の供給を停止する遮断モードとを切換可能な複数の入力バッファ回路と、
前記共通ノードに供給された電流信号を電圧信号に変換する出力回路とを備え、
前記複数の入力バッファ回路の各々は、
前記出力モードにおいて前記共通ノードに繋がる中間ノードから第１の基準ノードに至る電流経路に定電流を発生させ、前記遮断モードにおいて前記定電流の発生を停止する第１の定電流発生部と、
前記出力モードにおいて前記中間ノードから第２の基準ノードに至る電流経路に当該入力バッファ回路に供給された入力信号に対応する入力電流を発生させることで前記中間ノードから前記共通ノードに至る電流経路に前記電流信号を発生させ、前記遮断モードにおいて前記入力電流の発生を停止する電圧電流変換部と、
前記共通ノードから当該入力バッファ回路の中間ノードに至る電流経路に形成され、第１のバイアス電圧がゲートに供給される入力側トランジスタとを含み、
前記出力回路は、
前記共通ノードから前記第２の基準ノードに至る電流経路に定電流を発生させる第２の定電流発生部と、
前記電圧信号を出力するための出力ノードから前記共通ノードに至る電流経路に形成され、第２のバイアス電圧がゲートに供給される出力側トランジスタと、
前記出力ノードから第３の基準ノードに至る電流経路に形成された負荷抵抗とを含む
ことを特徴とする受信回路。
【請求項１３】
請求項１２に記載の受信回路と、
前記受信回路からの電圧信号を処理する信号処理装置とを備える
ことを特徴とする受信システム。
【国際調査報告】
2010041352.tif 000031
2010041352.tif 000032